(57)【要約】本発明の対象は少なくとも一つの網ネットが連結される二本の糸、綱、もしくは同類のものの、とりわけフロート綱もしくはバラスト綱と組み立て糸との結合を保証することのできる結び目であり、本発明の対象が第一ループの頂点の水準で接続し、かつ、第一ループの脚の水準で間隔を開ける二本の単糸を有する第一ループを第一綱の水準で形成し、第一ループの上部を下方に向けて湾曲させ、頂点に接続する単糸の上部の間に単糸の下部を配置して第二ループを形成し、第二ループの下で単糸の下部と共に第三ループを形成し、第二ループの中に第三ループを導入し、第三ループの先端と単糸の下部を離して前記結び目を形成することに存することを特徴とする。【選択図】図８
2008541715.tif 000002
【特許請求の範囲】
【請求項１】
結び目が
−第一ループ（２８）の頂点（３２）の水準で接続し、かつ、第一ループ（２８）の脚の水準で間隔を開ける二本の単糸（３０，３０’）を有する第一ループ（２８）を第一綱（２２）の水準で形成し、
−第一ループ（２８）の上部を下方に向けて湾曲させ、頂点（３２）に接続する単糸の上部（３６，３６’）の間に単糸の下部（３４，３４’）を配置して第二ループ（３８）を形成し、
−第二ループ（３８）の下で単糸の下部（３４，３４’）と共に第三ループ（４０）を形成し、
−第二ループ（３８）の中に第三ループ（４０）を導入し、
−第三ループ（４０）の先端（４２）と単糸の下部（３４，３４’）を離して前記結び目を形成する
ことに存することを特徴とする、少なくとも一つの網ネットが連結される二本の糸、綱、もしくは同類のものの、とりわけフロート綱もしくはバラスト綱と組み立て糸との結合を保証することのできる結び目。
【請求項２】
前記結び目によって形成したループの中に第二綱（２０）を刺し、それから前記結び目を締め付けて第二綱の上で不動にさせる、請求項１に記載の結び目を第一綱（２２）の水準で実現することに存する二本の糸の間における結合を保証するための方法。
【請求項３】
請求項１に記載の結び目を多数具備する請求項２に記載の方法を基にして獲得する、二本の糸（２０，２２）の組み合わせ。
【請求項４】
組み立て糸（４８）の水準で請求項１に記載の結び目を多数実現し、フロートもしくはバラスト綱（４４）を前記結び目のループの中に刺し、それから前記結び目を締め付け、前記結び目をフロートもしくはバラスト綱の上において予め設定した距離で隔てることを特徴とする、フロートもしくはバラスト綱（４４）と、少なくとも一つの網ネットが結合される組み立て糸（４８）との組み合わせ方法。
【請求項５】
請求項４に記載の方法を基にして獲得する漁網。
【請求項６】
少なくとも一本のフロート綱（４４）、望ましくはバラスト綱と、少なくともフロート綱（４４）に、また、少なくとも前記フロート綱（４４）と少なくとも前記ネット（４６）を結合するのを可能にする、請求項１に記載の結び目（２４）に結合される網ネット（４６）とを有する漁網。
【請求項７】
締めループがフロートもしくはバラスト綱（４４）を締め付ける、請求項１に記載の結び目（２４）を有する少なくとも一本の紐（５２）を有し、前記結び目が二本の単糸（５４，５４’）を規定し、二本の単糸の少なくとも一本が組み立て糸（４８）に、または、組み立て糸（４８）とフロートもしくはバラスト綱（４４）の間に介在させる分配糸（４９）に結合されることを特徴とする、少なくとも一つの網ネット（４６）とフロートもしくはバラスト綱（４４）との間における結合を保証する組み立て糸（４８）を有する漁網。
【請求項８】
二本の単糸（５４，５４’）が組み立て糸（４８）もしくは分配糸（４９）に点（５６．５６’）で結合され、二本の単糸（５４，５４’）の長さの和が点（５６．５６’）の間における組み立て糸（４８）もしくは分配糸（４９）の長さよりも小さいことを特徴とする、請求項７に記載の漁網。
【請求項９】
少なくとも一本の紐が、締めループが組み立て糸（４８）もしくは、組み立て糸（４８）とフロートもしくはバラスト綱（４４）の間に介在させる分配糸（４９）を締め付ける請求項１に記載の結び目（２４）を有し、前記結び目が二本の単糸（５４，５４’）を規定し、二本の単糸の少なくとも一本がフロートもしくはバラスト綱（４４）に結合されることを特徴とする、少なくとも一つの網ネット（４６）とフロートもしくはバラスト綱（４４）との結合を歩所プする組み立て糸（４８）を有する漁網。
【請求項１０】
二本の単糸（５４，５４’）の先端が点（５６．５６’）でフロートもしくはバラスト綱（４４）に結合し、二本の単糸（５４，５４’）の長さの和が点（５６．５６’）の間におけるフロートもしくはバラスト綱（４４）の長さよりも小さいことを特徴とする、請求項９に記載の漁網。
【発明の詳細な説明】
【技術分野】
【０００１】
本発明は平行に広がる二本の糸の結合を保証する結び目、とりわけ少なくとも一つの網ネットを支える端とフロート綱もしくはバラスト綱との間の結び目に関係し、また、こうして獲得する網に関係する。
【０００２】
特許資料ＦＲ２６８２２６１は「三重刺し網」とも呼ばれる漁網を獲得するために網を結合する方法を記述している。
【０００３】
この特許資料によれば、網は接着剤もしくは裁縫糸を用いてそれ自身の間で予備的に組み合わせされ、結合される。網予備組み合わせの上部編目は続いて組み立て糸に通され、組み立て糸はそれ自身、縁単糸とも呼ばれるフロート綱に固定される。同じように、この予備組み合わせの下部編目はそれ自身バラスト綱に固定される組み立て糸に通される。これに続く記述に関して、様々な図面に関するのと同じように、下部は上部と同じように製造することができるので、網の上部のみを記述する。
【０００４】
こうした組み立ては非常に多くの労働時間を必要とする。生産コストを下げるために、メーカーは、益々、組み立ての最大部分を人件費の安い地域に移転しようと追及している。しかしながら、フロート綱とバラスト綱に関する組み立ては船舶繋留港の近くでしか実施できない。事実、軽量で、しかも、相当に運送費を低く抑えて一つの大陸からもう一つの大陸に運搬できる網ネットとは反対に、フロート綱とバラスト綱を装着した網の運搬（場合によっては装着すべき糸の片道運搬を伴う）は相当にコストが高く、組み立てのコストよりもコスト高である。
【０００５】
それ故に網は人件費の安い国で予備組み合わせされるのである。この予備組み合わせユニットは続いて組み立て糸を用いてフロート綱とバラスト綱に結合される。
【０００６】
図１に描いている第一技術に従って、網１０のへりに、小編目網を併せ持つ大網目網を均等距離でもって組み合わせることを保証する半編目１４を付け加える。続いて、半編目１４を通して組み立て糸１２を導入する。網１０のへりに組み立て糸12を結合するために他の技術を使用することもできであろう。
【０００７】
図１に描いている技術に従って、組み立て糸１２は規則正しい間隔を開けて、個々の刺し点の間に一定数の編目、ここでは例えば図面に表わしているように四個の編目を離しながらフロートもしくはバラスト綱１８の上に刺し、この刺し点を小網目網と大網目網との接合に対して直角に配置する。
【０００８】
たとえこの技術が使用時にフロートもしくはバラスト綱の上の全長に渡って均等に分散する網を保持することを可能にするとしても、この技術はフロート及び／もしくはバラスト綱の上での予備組み合わせと組み立てがかなり長くなり、従って高コストになるので充分な満足を与えない。補足すれば、網交換時のフロート綱の分離はかなり長い時間を要し、高コストである。
【０００９】
図２に描いている技術に従って、組み立て糸１２とフロートもしくはバラスト綱１６の間の結合を保証するために組み立て糸１２と共に逆さにした二個の半キーのような結び目１６を実現する。このように、組み立て糸１２を逆さにした二個の半キーそれぞれの水準で不動にし、フロートもしくはバラスト綱１８に対してスライドさせない。予め設定する一定数の編目を継起する結び目１６の間で隔離するので、この結び目１６はフロートもしくはバラスト綱１８の全長に渡って網の均等な分散を獲得するのを可能にする。
【００１０】
たとえこの技術が組み合わせとスピーディーな組み立てを可能にするとしても、結び目がスライドすることもあるので満足を与えない。何故ならば、フロートもしくはバラスト綱に沿う編目の分配を損なうことが起こり得るからだ。
【００１１】
従って、本発明は組み立て糸とフロートもしくはバラスト綱の間の、そして、より一般的に言えば、平行に広がる二本の糸の間の結合を保証することのできる結び目を提供しながら、従来技術の不都合を回避することを目的とする。
【００１２】
そのために、本発明は対象として少なくとも一つの網ネットが連結される二本の糸、綱、もしくは同類のものの、とりわけフロート綱もしくはバラスト綱と組み立て糸との結合を保証することのできる結び目を有し、この結び目が
−第一ループの頂点の水準で接続し、かつ、第一ループの脚の水準で間隔を開ける二本の単糸を有する第一ループを第一綱の水準で形成し、
−第一ループの上部を下方に向けて湾曲させ、頂点に接続する単糸の上部の間に単糸の下部を配置して第二ループを形成し、
−第二ループの下で単糸の下部と共に第三ループを形成し、
−第二ループの中に第三ループを導入し、
−第三ループの先端と単糸の下部を離して前記結び目を形成する
ことに存することを特徴とする。
【００１３】
本発明はまた前記結び目を使用する網、とりわけ漁網の製造方法もしくは予備組み合わせ方法を提供する。
【００１４】
他に特徴及び利点はこれに続く、本発明の記述、付属図面を参照にして与えられる記述からより明確になるであろう。
【００１５】
図３において、第一綱２０と第二綱２２を表わし、この綱２０及び２２を結び目２４によって実現する。
【００１６】
「綱」によって、撚り合わせることの、編むことの、絡み合わせることの、撚糸することの、または他の方法によって可能な、とりわけ綱、端糸、糸、単糸、ケーブル、もしくは、他のあらゆる綱タイプを意味する。綱２０及び２２は様々な物質を主成分にして実現することができる。変化体に従って、綱２０もしくは２２は様々な直径を持つことができる。
【００１７】
適用事例に従って、第一綱２０はフロートもしくはバラスト綱に、第二綱２２は組み立て糸にすることができ、第二綱２２は少なくとも一つの網ネットに結合して漁網を構成する。
【００１８】
結び目２４はスライド式タイプで、一本の綱を基にして、事例に従って第二綱２２を基にして形成するループ２６を有し、その開口の寸法は他の綱、事例に従って第一綱２０に対し締め付けて動かないようにするように変化させることができる。
【００１９】
本発明に従って、結び目２４は次の方法で実現する。
【００２０】
図４に描いているように、綱の一本を出発点にして、ループ２８の頂点３２の水準で連結し、ループ２８の脚の水準で引き離す二つの単糸３０，３０’を有するループ２８を形成する。
【００２１】
図５に描いているように、ループ２８の上部は下方に向けて湾曲させ、単糸の下部３４，３４’は頂点３２で連結する単糸の上部３６，３６’の間に配置して、単糸３８を形成する。
【００２２】
図６に描いているように、ループ４０をループ３８の下で下部３４，３４’と共に形成する。
【００２３】
図７に描いているように、ループ４０はループ３８の中に導入する。
【００２４】
ループ４０の先端４２と単糸の下部３４，３４’を引き離しながら、図３に描いているような結び目を獲得する。
【００２５】
望ましくは、それぞれにループ４０を併せ持つ複数の結び目２４を第二綱の水準で実現し、結び目２４を予め設定した距離でもって引き離し、単数または複数網の予め設定した数の網目を隔離する。
【００２６】
ループ４０のユニットを第一綱に刺して分散し、続いて結び目を締め付けて所与の分配でもって不動にし、第一綱の上でスライドさせないようにする。
【００２７】
組み立て技術に従って、一本の綱がチューブの中に刺され、引き抜かれた時、結び目２４のループ４０を硬質な、あるいは、軟質なチューブに刺し、それから、この綱の上に移し変える。しかしながら、他の技術的解決を検討することもできる。
【００２８】
本発明に従って、この結び目はスライド式ループ４０が存在するのでスピーディーな組み立てを可能にする。
【００２９】
しかしながら、そうしたコンセプトのおかげで、この結び目を締め付けて所与の位置で不動にした時、結び目は刺された綱の上で不動になり、この綱に沿った結び目２４の均等な分散を保持することを可能にする。
【００３０】
図８，図９Ａ，図９Ｂ，図１０，図１５において、少なくとも一つのネット４６を有する網を表わしている。有利にも、この網は異なる網目寸法を持つ三つのネットを有する。このネットの実現方法、その形状及び性質は専門技術者に既知であるのでこれ以上詳述しない。
【００３１】
単数または複数ネット４６は端糸４８の上に刺す。端糸によって組み紐やストランド、その他同類のもののあらゆるタイプを意味する。これに続く記述で端糸４８を組み立て糸と呼ぶ。
【００３２】
これに先行したところで示したように、単数または複数ネット４６と組み立て糸４８の間の結合を保証するために様々な技術を使用することができる。変化体に従って、単数または複数ネットは組み立て糸に直接的に刺す。もう一つの変化体に従って、図１に描いているように、半編目を網のへりに付け加えることができる。変化体で、単数または複数ネットを、それ自身第二組み立て糸に固定する第一組み立て糸に刺すことができる。単数または複数ネットと組み立て糸との間の結合は専門技術者に既知であるのでこれ以上詳述しない。
【００３３】
機能させるために、網は少なくとも一本のフロート及び／もしくはバラスト綱４４に結合しなければならない。これに続く記述において、予備組み合わせとフロート綱との間の結合のみを記述することにする。場合に従って、予備組み合わせと、図面で表わさないバラスト綱とを結合させるために、この結合タイプもしくは他の結合タイプを使用することができる。
【００３４】
本発明に従って、単数または複数ネット４６をフロートもしくはバラスト綱４４に結合するために、ループ５０を組み立て糸４８の水準で形成し、継起するループ５０の間に、設定した数の編目を隔離し、このループをフロートもしくはバラスト綱４４の上に刺す。このループは、フロート４５もしくはバラストがあるにも関わらす、フロートもしくはバラスト綱４４の上で自由にスライドできるように適合させた寸法を有する。他の解決は組み立て糸とフロート綱の間の結合を保証するために検討するに値する。
【００３５】
変化体に従って、二つのループ５０を隔てている、組み立て糸４８の水準における距離、及び／もしくは、継起する二つのループの間に隔離された編目の数は変化させることができる。
【００３６】
とりわけ図１０で描いている組み立ての変化体に従って、フロートもしくはバラスト綱４４の全長に渡る編目の均等な分配を保証するために、網は分配糸４９を有し、望ましくは、あらゆる適切な手段によって、少なくともいくつかのループ５０によって、望ましくは全てのループによって、規則正しい間隔で配置した前記分配糸４９を通るフロートもしくはバラスト綱４４の少なくとも先端それぞれ（点Ｐ）に結合させる。
【００３７】
分配糸４９は撚り合わせることの、編むことの、絡み合わせることの、撚糸することの、または他の方法によって可能な少なくとも二本の糸、単糸、ケーブル、もしくは同類のものの組み合わせである。さらに、ストランド、糸紐、単糸、ケーブル、もしくは他の同類のものを異なる物質を主成分にして実現することができる。
【００３８】
望ましくは、図１４で描いているように分配糸４９は編んで作り、通過孔５８を概ね規則正しい間隔で前記分配糸の単糸間に施し、通過孔58の場所がそのために変更できるように撚り合わされた分配糸とは反対に、組み立て糸の編目もしくはループの通過を可能にする。
【００３９】
変化体として、図１５で描いているように、網は如何なる分配糸４９も含まない。この場合、組み立て糸４８は、適切なあらゆる手段を用いて、単数または複数ネット４６の向こう側とこちら側の水準でフロートもしくはバラスト綱４４に結合する。この組み立てに従って、点Ｐの間における組み立て糸４８の長さは僅かに点Ｐの間におけるフロートもしくはバラスト綱４４の長さよりも大きくする。
【００４０】
従って、単数または複数ネット４６の向こう側とこちら側で結合された組み立て糸４８が点Ｐの間におけるフロートもしくはバラスト綱４４の全長に渡るネットの分配を保証し、ループ５０がフロートもしくはバラスト綱４４の上で自由にスライドできるようになる。
【００４１】
単数または複数網ネット４６が均等にフロートもしくはバラスト綱４４の全長の上で分配された状態を保つために、図８及び１０で描いているように、結び目２４を少なくとも一つのループ５０の水準で形成する。この構造はフロート綱に沿うネットのスライドを制限することを可能にする。
【００４２】
図９Ａ及び図９Ｂに描いているもう一つの変化体に従って、少なくとも一本の紐５２をフロート綱４４と組み立て糸４８もしくは分配糸４９の間に介入させる。この紐５２は、締めループがフロート綱４４を締め付ける、本発明に従う結び目２４を有し、この紐を二つの単糸５４，５４’で規定し、少なくとも二つの単糸の一つを組み立て糸４８もしくは分配糸４９に結合する。有利にも、図９Ａ及び図９Ｂに描いているように、二つの単糸５４，５４’の先端が点５６，５６’で分配糸４９、もしくは組み立て糸４８に結合する。
【００４３】
図９Ｂに描いているように、単糸５４，５４’の一本はループ５６を通過することができる。分配糸４９が存在している場合、ループ５０の通過を可能にするために分配糸４９に施した孔を点５６及び５６’の間にしつらえる。分配糸のない場合、ループ５０と組み立て糸４８との結合点を点５６及び５６’の間に配置する。こうした構造によってループ５０の横ぶれを制限することができる。
【００４４】
単糸５４，５４’の先端と分配糸４９の間の結合はあらゆる手段によって、とりわけ単糸と分配糸４９の絡み合いによって、少なくとも一つの結び目によって、または突き刺しその他によって獲得することができる。
【００４５】
本発明の他の特徴に従って、二本の単糸５４，５４’の長さの和は、点５６，５６’の間の分配糸もしくは組み立て糸の長さよりも小さくする。こうした構造によって圧力が分配糸に掛けられた時、結び目２４を自動的に締め付けるのを可能にする。
【００４６】
変化体として、結び目２４は分配糸と、フロート綱に結合する単糸５４，５４’との上に形成することができる。
【００４７】
変化体として、組み立て糸は分配糸に取って替えることができる。
【００４８】
望ましくは、結び目２４は組み立て糸、分配糸、または、フロートもしくはバラスト綱の長さの上に均等に分配する。
【００４９】
ネット４６の組み立て糸との、場合によっては分配糸４９との予備組み合わせは、有利にも人件費の安い国で実施することができる。有利にも、組み立て糸４８のループ５０は、図１１に描いているように、ケーブル抜きとも呼ばれる糸６０に刺す。ケーブル抜き６０の存在は以後のフロートもしくはバラスト綱４４の組み立てを容易にし、コンパクトで軽量な予備組み合わせを保持するのを可能にし、これによって運送費の引き下げをもたらす。
【００５０】
予備組み合わせとフロート綱４４を結合させるために、組み立て糸４８のループ５０をフロートもしくはバラスト綱４４の上に刺す。
【００５１】
組み立て糸４８をフロートもしくはバラスト綱４４に沿って広げ、個々のループ５０の間に網部分もしくは一定数の数の編目、例えば四個の編目を隔離して、この網をフロートもしくはバラスト綱４４に沿って均等に分配する。
【００５２】
変化体に従って、分配糸４９をフロートもしくはバラスト綱４４の全長に沿って広げるために、分配糸４９をネット４６の向こう側とこちら側の点Ｐでフロートもしくはバラスト綱４４の各先端に結合させ、分配糸にフロートもしくはバラスト綱４４の長さよりも僅かに大きな長さを持たせる。
【００５３】
他の変化体に従って、組み立て糸４８をフロートもしくはバラスト綱４４の全長に沿って広げるために、組み立て糸４８をネット４６の向こう側とこちら側の点Ｐでフロートもしくはバラスト綱４４の各先端に結合させ、組み立て糸４８にフロートもしくはバラスト綱４４の長さよりも僅かに大きな長さを持たせる。
【００５４】
作業方法に従って、予備組み合わせをフロートもしくはバラスト綱に結合させるために、人件費の高い国では組み立てチューブ６２を使用することができる。このチューブ６２は従来の技術におけるように運搬のとっては必要でない。
【００５５】
図１１に描いているように、予備組み合わせはケーブル抜き６０を有するので、作業員はこのチューブをケーブル抜きに結合し、それからケーブル抜きを引っ張り、図１２に描いているような配置を獲得するようにして、組み立て糸のループ５０をチューブ６２の上に刺すことができる。
【００５６】
これに続いて、作業員はフロートもしくはバラスト綱４４をチューブ６２の中に通し、チューブの他の先端にフロートもしくはバラスト綱４４の第一先端を、場合に従って組み立て糸もしくは分配糸の第一先端を結合させる。図１３に描いているように、フロートもしくはバラスト綱４４、または、組み立て糸もしくは分配糸３２の第一先端を引っ張りながら、組み立て糸のループ５０をフロートもしくはバラスト綱４４に沿って分配する。フロートもしくはバラスト綱４４の全体がチューブ６２を通過したとき、または、組み立て糸もしくは分配糸がフロートもしくはバラスト綱４４に沿って広がった時、作業員は組み立て糸もしくは分配糸の第二先端をフロートもしくはバラスト綱４４に結合させる。
【００５７】
しかしながら、フロートもしくはバラスト綱４４を組み立て糸のループ５０の中に刺すために他の解決を検討することができるであろう。
【００５８】
他の作業方法に従って、予備組み合わせをフロートもしくはバラスト綱に結合させるために、ループ５０がフロートもしくはバラスト綱４４の先端に刺されるようにすることができる。この場合、フロートもしくはバラスト綱のこの先端を組み立て糸もしくは分配糸の第一先端に結合させる。フロート綱２６の、または、組み立て糸もしくは分配糸の第一先端を引っ張りながら、組み立て糸のループ５０をフロートもしくはバラスト綱４４に沿って分配する。組み立て糸もしくは分配糸がフロートもしくはバラスト綱４４に沿って広がった時、作業員は組み立て糸もしくは分配糸の第二先端をフロートもしくはバラスト綱４４に結合させる。
【００５９】
本発明に従って、フロートもしくはバラスト綱のスピーディーでシンプルな組み立てを獲得し、これによってコストの引き下げに寄与する。
【００６０】
変化体に従って、予備組み合わせの組み立ては人件費の安い地域で実施することができる。この場合、予備組み合わせは単数または複数ネット、少なくとも一本の分配糸、単数または複数組み立て糸（一本はフロート綱用に、及び／もしくは、一本はバラスト綱用に）、そして、望ましくはケーブル抜き６０を含む。
【００６１】
変化体に従って、個々のループ５０は組み立て糸との結び目を作ってループを形成するように実現する。しかしながら、この解決はループ５０を形成する結び目の締め付け強度が変化できるという事実によって、二つのループ５０の間における組み立て糸４８の長さに変化を許してしまうという不都合をきたす。
【００６２】
図１６で描いた、望ましい実施方法に従って、個々のループ５０を、組み立て糸４８の起点で隔たった二点を結合させる突き刺し６４を実現して形成する。この解決は二つのループ５０の間で一定の距離を保つことを可能にし、これによってフロート及び／もしくはバラスト綱に対するネットの最良の分配を獲得するに寄与する。
【００６３】
言うまでもなく、本発明は上に表わし記述した実施方法に何ら限定されるものでなく、反対に、とりわけ綱の性質、寸法、並びに、その適用に関してあらゆる変化体をカバーする。
【００６４】
単純化した変化体に従って、図１０及び図１５で描いた組み立ては結び目２４を具備しないで実施することができる。
【図面の簡単な説明】
【００６５】
【図１】従来の方法に従う第一技術を表わす図面である。
【図２】従来の方法に従うもう一つの組み立て技術を表わす図面である。
【図３】もう一つの糸が通過するスライド式ループを形成する第一綱の上に実現する、本発明に従う結び目を遠近法で表わした図面である。
【図４】は本発明に従う結び目の実現のための様々なステップを図式的に描く。
【図５】は本発明に従う結び目の実現のための様々なステップを図式的に描く。
【図６】は本発明に従う結び目の実現のための様々なステップを図式的に描く。
【図７】は本発明に従う結び目の実現のための様々なステップを図式的に描く。
【図８】第一組み合わせ方法に従う前記結び目を使用する網の図示である。
【図９Ａ】もう一つの組み合わせ方法に従う前記結び目を使用する網の図示である。
【図９Ｂ】もう一つの組み合わせ方法に従う前記結び目を使用する網の図示である。
【図１０】フロートもしくはバラスト綱への組み立て後の、本発明の変化体に従う予備組み合わせユニットを表わす図面である。
【図１１】図１０の組み合わせを獲得するための予備組み合わせ網及びフロートもしくはバラスト綱の組み合わせの様々なステップを描いた図面である。
【図１２】図１０の組み合わせを獲得するための予備組み合わせ網及びフロートもしくはバラスト綱の組み合わせの様々なステップを描いた図面である。
【図１３】図１０の組み合わせを獲得するための予備組み合わせ網及びフロートもしくはバラスト綱の組み合わせの様々なステップを描いた図面である。
【図１４】分配糸を通るループを詳細に描いた図面である。
【図１５】フロートもしくはバラスト綱への組み立て後の、本発明のもう一つの変化体に従う予備組み合わせユニットを表わす図面である。そして、
【図１６】一つの実現方法に従うループを詳細に描いた図面である。
【図１】
2008541715.tif 000003
【図２】
2008541715.tif 000004
【図３】
2008541715.tif 000005
【図４】
2008541715.tif 000006
【図５】
2008541715.tif 000007
【図６】
2008541715.tif 000008
【図７】
2008541715.tif 000009
【図８】
2008541715.tif 000010
【図９Ａ】
2008541715.tif 000011
【図９Ｂ】
2008541715.tif 000012
【図１０】
2008541715.tif 000013
【図１１】
2008541715.tif 000014
【図１２】
2008541715.tif 000015
【図１３】
2008541715.tif 000016
【図１４】
2008541715.tif 000017
【図１５】
2008541715.tif 000018
【図１６】
2008541715.tif 000019
【国際調査報告】
2008541715.tif 000020
2008541715.tif 000021
2008541715.tif 000022
2008541715.tif 000023